(57)【要約】      （修正有）【課題】ロールから引き出した巻戻し紙の端を片手だけの簡単な下げ操作で所要の長さに引き切ることができるトイレットペーパーホルダーを提供する。【解決手段】紙ロール３を回転可能に保持するロールホルダー１と、ロールホルダーの後端で軸支され紙ロール上に位置される反転基板２と、反転基板に装備され巻戻し紙１０の下引きによる切断装置７とからなり、切断装置は、反転基板の先端部において、巻戻し紙が後ろへ反転する第一滑り部材５を設けてその上に紙先の入り口９が形成され、入り口の上には巻戻し紙が下引きにより係る横長の切り刃１３付き組付部材１１が組外し可能に配設され、その組付部材は、板材の屈折前端が切り刃として起立し、且つ後側には巻戻し紙を前へ反転させる第二滑り部材６が形成され、その中には、第二滑り部材と前記切り刃との間にクッション材１５がやや頭出しの突になるよう設けてあり、さらに、基板上には、第二滑り部材と接近して巻戻し紙を保持する案内片２３が立設されている。【選択図】図１
0003226627.tif 000002
【実用新案登録請求の範囲】
【請求項１】
紙ロールを回転可能に保持するロールホルダーと、ロールホルダーの後端で軸支され紙ロール上に位置される反転基板と、反転基板に装備され巻戻し紙の下引きによる切断装置とからなり、切断装置は、反転基板の先端部において、巻戻し紙が後ろへ反転する第一滑り部材を設けてその上に入り口が形成され、入り口の上には巻戻し紙が下引きにより係る横長の切り刃付き組付部材が組外し可能に配設され、その組付部材は、板材の屈折前端が切り刃として起立し、且つ後側には巻戻し紙を前へ反転させる第二滑り部材が形成され、その中には、第二滑り部材と前記切り刃との間にクッション材がやや頭出しの突になるよう設けてあり、さらに、基板上には、第二滑り部材と接近して巻戻し紙を保持する案内片が立設され、切り刃は中央部が後退する湾曲形状において高く形成されていることを特徴とするトイレットペーパーホルダー。
【請求項２】
反転基板の前端部において両端に側部片が屈折して形成され、組付部材は一端の側部片にヒンジにより開閉可能に連結され、他端には側部片と差し合う連結片を垂下して設けてあることを特徴とする請求項１記載のトイレットペーパーホルダー。
【考案の詳細な説明】
【技術分野】
【０００１】
この考案は、紙ロールから引き出した紙を必要な分だけ切りとるときに、紙を下向きに引いて切り刃に当てるようにしたトイレットペーパーホルダーに関する。
【背景技術】
【０００２】
従来のトイレットペーパーホルダーは、紙ロールを回転可能に保持する軸材が備えられるホルダー本体において、紙ロールの上に被さる金属の薄板からなる上カバーが設けられ、その先端が切刃（切縁）となっているので、使用するときには、引き出した紙を上カバーで押え止めながら切刃に掛け切りされていた。
【考案の概要】
【考案が解決しようとする課題】
【０００３】
従来のトイレットペーパーホルダーは、引き出した紙を上カバーの先端で切る瞬間を見ると、紙の切り口を片手で摘み上げる動作とともに、他方の手で上カバーの上から紙を押える動作が必要であるので、両手使いで動作が複雑となり、殊に身体障碍者や高齢者には不親切であるという問題があった。
【０００４】
この考案は、上記のような実情に鑑みて、ロールから引き出した巻戻し紙の端を片手だけの簡単な下げ操作で所要の長さに引き切ることができ、しかも次の使用者に利用されやすく摘みが残ることになり、加えて紙ロールの巻戻し紙を装填するセットの仕方が容易であるトイレットペーパーホルダーを提供することを課題とした。
【０００５】
上記の課題を解決するために、この考案は、紙ロールを回転可能に保持するロールホルダーと、ロールホルダーの後端で軸支され紙ロール上に位置される反転基板と、反転基板に装備され巻戻し紙の下引きによる切断装置とからなり、切断装置は、反転基板の先端部において、巻戻し紙が後ろへ反転する第一滑り部材を設けてその上に紙先の入り口が形成され、入り口の上には巻戻し紙が下引きにより係る横長の切り刃付き組付部材が組外し可能に配設され、その組付部材は、板材の屈折前端が切り刃として起立し、且つ後側には巻戻し紙を前へ反転させる第二滑り部材が形成され、その中には、第二滑り部材と前記切り刃との間にクッション材がやや頭出しの突になるよう設けてあり、さらに、基板上には、第二滑り部材と接近して巻戻し紙を保持する案内片が立設され、切り刃は中央部が後退する湾曲形状において高く形成されていることを特徴とするトイレットペーパーホルダーを提供する。
【０００６】
上記の構成において、使用可能に巻戻し紙をセットするには、組付部材を取り外して開放した状態において、巻戻し紙を第一滑り部材に下から掛け、さらにその反転先を案内片の上を越えて延ばしてから（図２）、組付部材を所定の個所に押し下げて組付けるが、このとき反転した巻戻し紙が第二滑り部材により案内片に沿って押し下げられる結果、後ろへの転倒が防止され、第二滑り部材で前へ反転した摘み先１０ａができる（図３）。
【０００７】
次に、摘み先１０ａで巻戻し紙をさらに引き出して切り刃で切断するが、このとき、組付部材の上に被せるように、クッション材および切り刃を越えて引出しながら引き下げると、その力で巻戻し紙は、クッション材を圧縮し弾性変形させて切り刃に当たり、そこで切れると同時に切り口１０ｂがクッション材の弾発力で跳ね上げられるため（図１）、巻戻し紙の切り口１０ｂが摘みやすく上向き傾向となる。これを次の使用者が摘み操作に利用する。つまり摘みが使用者ごとに連続的に発生する好都合な状態となる。
【０００８】
巻戻し紙は滑り部材や案内片を経て蛇行して切り刃に至るので、引っ掛かるほどの強い抵抗はなく、引きに抗する適度な緊張で切り刃の刃先に確実に当たる。また、巻戻し紙の引き方向は下向きであるが、切り刃の湾曲形状により幅中央の高くなっている部分から確実に刃が入り進むことから、切り良く端正で摘まみやすい切り口となる。
【考案の効果】
【０００９】
以上説明したように、この考案のトイレットペーパーホルダーによれば、ロールから巻戻し紙の端を簡単に所要の長さに引き切ることができ、しかも、使用者により次々に切り口で適切な摘みが生じるのでトイレの管理が容易となり、使い方が身障者や高齢者にも優しく、また、装置が巻戻し紙の蛇行状の経路であっても、巻戻し紙のセットが容易であるとともに、簡単な下引きの片手使いで紙の切取り操作をなしうるという優れた効果がある。
【図面の簡単な説明】
【００１０】
【図１】この考案のトイレットペーパーホルダーを巻戻し紙の切断時で示す側面から視た断面図である。
【図２】巻戻し紙の装置組み込みセット中として巻戻し紙の組付け直前を示す分解斜視図である。
【図３】組付部材の組付け手順を示す断面図である。
【図４】反転基板を軸支する取付け状態を説明する一部分解斜視図である。
【図５】巻戻し紙の弛み防止対策を示す組付部材の斜視図である。
【図６】滑り部材について別の実施例を示す断面図である。
【考案を実施するための形態】
【００１１】
反転基板２の位置については特に限定しなく、紙ロール３の受けも考えられるが、一つの手段を説明すると、後端に一体の回動片８を突設し、背板４をそのストッパーとして基板２が受け止められるようにする。このほかに横に止ピンを通す手法も考えられる。
【実施例】
【００１２】
トイレットペーパーホルダーは、ホルダー本体１と、反転基板２と、切断装置７などからなる。ホルダー本体１は、背板４の両端にアーム２ａ、２ａを突設したもので、後端に紙ロール３の上に被さる反転基板２が基軸１４を介して反転可能に設けられ、反転基板２に主要な切断装置７が装備される。
【００１３】
切断装置７については、紙ロール３から引き出される巻戻し紙１０が後ろへ反転して係る第一滑り部材６を設けることにより、その上が開口して入り口９が形成される。また、入り口９の上部にステンレス板からなる組付部材１１を設置し、これには前端が起立して切り刃１３として形成され、後端は丸め加工により第二滑り部材６が形成される。つまり、両側が高くなる言わばチャンネル態様である。また、両側の間には「く字形」でゴム質のクッション材１５が設けられ底面に固着される。この組付部材１１は巻戻し紙１０のセットの際にその操作の容易化のために開放されるが、この場合、半開放でありヒンジ１９による片開きである。
【００１４】
反転基板２に対して組付部材１１を取り付けるために、基板２の先端部において組付部材１１を挟む側部片１７，１８が屈折して設けられ、組付部材１１の一端では側部片１７と連結するヒンジ１９を設け、他の端では側部片１８と差し合う連結片２１が設けられる。側部片１７に二点鎖線でヒンジ１９のビス止め位置１９ａを示す。
【００１５】
さらに反転基板２の上には、組付部材１１の背後にＬ字形の屈折部材を固着することにより巻戻し紙１０が食み出る等の防止となる案内片２３を立設してある。そこで、組付部材１１を所定個所に落としこむように組み付けると、いわば寝かせてあった（図２）巻戻し紙１０が案内片２３の上端を支点に起上がるので、切り口１０ａは摘まみやすく前傾向となる（図３参照）
【００１６】
使用するときには、切り口１０ａを摘まんでクッション材１５や切り刃１３の上に引き延ばしながら適度な時点で下向きに引きを転じると、クッション材１５を圧縮する低い状態において切り刃１３で切れるので、クッション材１５の反発でやや上向き傾向の切り口１０ｂ（図１）になりそれを摘みやすい。
【００１７】
図４は、ホルダー本体１の後端の背板４に反転基板２を軸支する構造を示し、ピン製の同じ基軸１４の通しで反転可能に軸支した。ホルダー本体１には基軸１４を通す軸受片１６，１６が形成され、反転基板２には基端に基軸１４が通る軸受縁２０が形成される。
【００１８】
滑り部材５，６や案内片２３は、巻戻し紙１０の引きに抗することによる緊張で刃に切りやすくする作用を果たす。この前提として紙ロール3が大きいときは自重で逆回転しないが、小さくなった時に軽いので前にずるずる出てくる不都合があった。つまり、巻戻し紙の引きに応じて弛みが生じることがあるという欠点があった。
【００１９】
図５は、その対策を示したもので、クッション材の表面に均等に摩擦の粗面２５を設けた。具体的には、粗面２５に付いて、紙やすりを小さく切って３か所に貼り付けた。こうしたところ、切断後、きりはなされた巻戻し紙は粗面に付いて逆戻りが防止されて弛みが生じなくなり、しかも粗面２５からの離れも良く支障がなかった。
【００２０】
滑り部材５，６は特に摩擦の程度が重要である。材質を変え得るよう、反転基材２等の端にゴムの溝部材を滑り部材５，６として着設しこれに対応できる構造にした（図６）。
【符号の説明】
【００２１】
１  ホルダー本体
２  反転基板
３  紙ロール
４  背板
５  第一滑り部材
６  第二滑り部材
７  切断装置
９  入り口
１０  巻戻し紙
１１  組付部材
１３  切り刃
１４  基軸
１５  クッション材
１７，１８  側部片
１９  ヒンジ
２１  連結片
２３  案内片
【図１】
0003226627.tif 000003
【図２】
0003226627.tif 000004
【図３】
0003226627.tif 000005
【図４】
0003226627.tif 000006
【図５】
0003226627.tif 000007
【図６】
0003226627.tif 000008